(57)【要約】上端及び下端並びに縦軸をもつクラブシャフトと、シャフトの下端にあり、シャフトとクラブヘッドとの間のライ角をもつクラブヘッドと、シャフトの上端にあるグリップとを有するパターのようなゴルフクラブである。グリップは、増加した有効ライ角を提供する。シャフトとクラブヘッドとの間のライ角は、約６７°〜約７５°の範囲内であり、有効ライ角は、約７６°〜約８５°の範囲内である。グリップは、ゴルファーの成績を改善する。【選択図】図４Ｂ
2013530802.tif 000002
【特許請求の範囲】
【請求項１】
ゴルフクラブであって、
上端及び下端並びに縦軸を有するクラブシャフトと、
前記シャフトの下端にあるクラブヘッドと、
前記シャフトと前記クラブヘッドとの間のライ角と、
前記シャフトの上端にあるグリップと、
を備え、前記グリップが増加した有効ライ角を提供することを特徴とする、ゴルフクラブ。
【請求項２】
前記シャフトと前記クラブヘッドとの間のライ角が約６７°〜約７５°の範囲内である、請求項１に記載のゴルフクラブ。
【請求項３】
前記有効ライ角が約７６°〜約８５°の範囲内である、請求項１または２に記載のゴルフクラブ。
【請求項４】
前記有効ライ角が約７７°〜約８４°の範囲内である、請求項１〜３のいずれかに記載のゴルフクラブ。
【請求項５】
前記有効ライ角が約７８°〜約８３°の範囲内である、請求項１〜４のいずれかに記載のゴルフクラブ。
【請求項６】
前記有効ライ角が約７９°〜約８４°の範囲内である、請求項１〜５のいずれかに記載のゴルフクラブ。
【請求項７】
前記有効ライ角が約７９°〜約８３°の範囲内である、請求項１〜６のいずれかに記載のゴルフクラブ。
【請求項８】
前記有効ライ角が約７９°〜約８２°の範囲内である、請求項１〜７のいずれかに記載のゴルフクラブ。
【請求項９】
前記有効ライ角が約８０°〜約８３°の範囲内である、請求項１〜８のいずれかに記載のゴルフクラブ。
【請求項１０】
前記有効ライ角が約８０°〜約８２°の範囲内である、請求項１〜９のいずれかに記載のゴルフクラブ。
【請求項１１】
前記有効ライ角が約８１°〜約８２°の範囲内である、請求項１〜１０のいずれかに記載のゴルフクラブ。
【請求項１２】
前記グリップが縦軸を有し、前記グリップの縦軸と前記シャフトの縦軸が前記クラブヘッドに向かう方向に収束する、請求項１〜１１のいずれかに記載のゴルフクラブ。
【請求項１３】
前記グリップが、前記グリップのより大きい部分が前記クラブヘッドが延びる側部とは反対のシャフトの側部上に延びる状態で、断面形状において細長い、請求項１〜１２のいずれかに記載のゴルフクラブ。
【請求項１４】
前記細長い断面形状が、実質的に平坦な側部をもつ楕円の断面形状である、請求項１３に記載のゴルフクラブ。
【請求項１５】
前記グリップが、前記シャフトを下る方向に、クラブヘッドが延びる側部とは反対のシャフトの側部上で、内向きにテーパする、請求項１〜１４のいずれかに記載のゴルフクラブ。
【請求項１６】
前記グリップの中にシャフト受入ボアが画定され、前記ボアが、前記グリップの中心位置からオフセットされ、前記クラブヘッドが延びる側部とは反対の前記グリップの側部の方に位置する、請求項１〜１５のいずれかに記載のゴルフクラブ。
【請求項１７】
前記クラブヘッドが延びる側部と同じ側部上の前記シャフトの側部上のグリップの部分が、ユーザによってグリップされたときに変形可能である、請求項１〜１６のいずれかに記載のゴルフクラブ。
【請求項１８】
前記クラブヘッドが延びる側部とは反対の前記シャフトの側部上のグリップの一部が少なくとも部分的に中空である、請求項１７に記載のゴルフクラブ。
【請求項１９】
前記グリップが、親指と手の中指の位置の指関節との間の手のひらを満たすように寸法設定される、請求項１〜１８のいずれかに記載のゴルフクラブ。
【請求項２０】
前記グリップの寸法と前記増加した有効ライ角が、ユーザの前腕を互いに同一平面に沿って位置合わせするように一緒に作用し、前記平面が前記クラブのグリッピング位置において前記シャフトの縦軸に平行である、請求項１〜１９のいずれかに記載のゴルフクラブ。
【請求項２１】
ユーザの指先をグリッピング位置におくための長手方向の指溝が前記グリップの一方の側部上に提供される、請求項１〜２０のいずれかに記載のゴルフクラブ。
【請求項２２】
前記ゴルフクラブグリップ部材が、熱可塑性エラストマーからなる群から選択されたあらゆる１つ又は複数の材料から製造される、請求項１〜２１のいずれかに記載のゴルフクラブグリップ。
【請求項２３】
ゴルフクラブのためのグリップであって、
前記ゴルフクラブが、
上端及び下端並びに縦軸を有するクラブシャフトと、
前記シャフトの下端にあり、前記シャフトと前記クラブヘッドとの間のライ角をもつクラブヘッドと、
を備え、
前記グリップが、前記シャフトの上端に嵌めるためのものであり、増加した有効ライ角を提供するように適合されている、
ゴルフクラブのためのグリップ。
【請求項２４】
請求項２３に記載の及び請求項１から請求項２３までのいずれか一項に記載の特徴を有するグリップ。
【請求項２５】
添付の図面を参照して本明細書で説明される及び添付の図面で例証されるゴルフクラブグリップ。
【請求項２６】
添付の図面を参照して本明細書で説明される及び添付の図面で例証されるゴルフクラブグリップを有するゴルフクラブ。
【発明の詳細な説明】
【技術分野】
【０００１】
本発明は、ゴルフパターのようなゴルフクラブ、特に、ゴルフクラブグリップ、例えばゴルフボールの最適な打撃のための手／腕の位置決めを可能にするパターグリップの分野に関する。
【背景技術】
【０００２】
ゴルフは、趣味としてゲームをプレーする気軽な参加者からゲームをプレーすることで生計を立てている専業のプロにわたるスキルレベルで世界で最も広くプレーされるスポーツの１つである。ゴルファーのスキルレベルに関係なく、ゴルファーのゲームの最も重要な部分の１つは、ショットする又は「パットする」ためにパターのようなゴルフクラブを毎回的確に且つ一貫して用いてゴルフボールを打つ能力である。「パットする」とは、ボールを穴の中に打つためにゴルフコースのグリーン上でパターが用いられる場合のゴルフショットを説明するためにゴルファーによって用いられる用語である。ゴルファーのパッティング・スイング又はパッティング能力が低い、一貫性に欠ける、又は非常に不的確である場合、ゴルファーのゲームは難航し、彼らの成績の向上が伸び悩みになる。したがって、パターに伴うゴルファーの能力が、彼／彼女のゴルフゲームの向上を試みるプレーヤにとってカギとなる。
【０００３】
ゴルファーのパッティング能力を向上させるために、ホームパッティングキット（例えば、Ｂｏｏｍｅｒａｎｇ（登録商標）Ｐｕｔｔｉｎｇ  Ｐｒｏｆｅｓｓｉｏｎａｌ）からレーザ・パッティング・エイド（例えば、米国特許第５，９６４，６６８号で説明されるように）にわたる多数のゴルフエイドが導入されている。しかしながら、パッティング・グリップ上のゴルファーの手の位置決めが不適切である場合、最大限のパッティング・エイドですら、ゴルファーのパッティングスキルを向上させないであろう。
【０００４】
パターを正しくグリップするのに用いられる最も慣習的な方法は、「リバースオーバーラップ法」と呼ばれる。本質的に、これは、ゴルファーが弱い方の手（右利きのゴルファーでは左手であり、逆もまた同様である）をグリップの上部におき、弱い方の手の下のグリップを強い方の（「リード」）手で握ることを含む。このとき、大抵、弱い方の手の人差し指が強い方の手の小指、薬指、及び中指の上に重なっている。両方の手の親指は、グリップの中央に位置決めされ、且つクラブヘッドの方に下に向いているべきである。
【０００５】
パッティングのときにゴルファーによって用いられるグリップ、又は実際にはパターグリップ自体を開発するために多くの試みがなされている。従来のパターグリップは、一般に、クラブシャフトの上部の周りに巻かれるグリップ材料又は事前成形されたグリップを備える。グリップは、ゴルファーのグリップを支援するために、材料の表面上に窪み又はディンプルなどを有していてもよい。これらの表面加工部は、クラブをグリップするときのゴルファーの手の正しい位置決めを支援すると考えられる。こうした表面機能部を使用するにもかかわらず、ゴルファーによる不的確な及び一貫性のないパッティングにつながる、パターグリップ上のゴルファーの手の不適切な位置決めの問題が依然として散見される。ゴルフパターグリップのさらなる改善に向けての幾つかの試みがなされている。
【０００６】
米国特許公開番号第２００６／００６８９２９号は、実質的にパドルの形状にされ、両手でグリップされるように設計された、オーバーサイズにされたゴルフパターグリップを開示し、この場合、手の位置は、グリップの各側部上に１つであり、且つ左右対称であり、両方の手は、肩のラインを底辺として実質的に二等辺三角形の対向する側部を形成する各腕のそれぞれのラインと平行な関係性をもって、互いに平行してグリップ上に置かれてもよい。グリップは、使用中にクラブが保持されるときに上向きに面する実質的に平坦な面及び下向きに面する種々の表面形状を含む。
【０００７】
米国特許第４，２７２，０７７号は、円筒形の形状を有するゴルフパターグリップを開示し、これはシャフトの直径よりも実質的に大きい。この特定のグリップの目的の１つは、パッティング中に付加的な支持及びバランスを提供しながら、利き側でない手が筋弛緩位置をとれるようにすることとして説明される。
【０００８】
米国特許公開第２００２／００７７１９１号は、グリップの上端から下端に延びるオーバーサイズにされた細長い円筒形本体を含むゴルフパターグリップを開示する。グリップの下端は、シャフトよりも直径が実質的に大きく、そのためその下端とシャフトとの間に段差が形成される。この「段差」の目的は、シャフトの対向する側部上で彼又は彼女のフォワードハンドのユーザの人差し指及び中指を受け入れることである。グリップはまた、随意的に内側のプラスチックスリーブと外側の柔軟なスリーブとの２つの構成要素からなるものとして説明される。グリップは１つの平坦な側部を有する。
【０００９】
米国特許第５，７４９，７９２号は、ゴルフクラブのハンドル、特にクラブのグリップの上で滑ることがある様々なサイズの一組のカバーを備えるゴルフクラブ・オーバーサイズ・グリップキットを開示する。カバーは、ユーザが握ると変形し、ユーザの手に適合して、手と接触する最大の表面積を提供する、発泡合成樹脂又はこの等価物から製造されるものとして説明される。
【発明の概要】
【発明が解決しようとする課題】
【００１０】
しかしながら、パターグリップのようなゴルフクラブ上の一貫性のない不適切なグリップ位置の問題は、ゴルファーのゲームに根本的問題を残す。従来技術のパターグリップに付随して見受けられるよくある問題は、ゴルファーがクラブ／パターを強くグリップしすぎて、手、腕、及び肩を通して緊張が生じることである。本発明は、これらの欠点を解決することを目的とする。
【課題を解決するための手段】
【００１１】
本発明は、上端及び下端並びに縦軸を有するクラブシャフトと、シャフトの下端にあり、シャフトとクラブヘッドとの間のライ角をもつクラブヘッドと、シャフトの上端にあるグリップとを備えるゴルフクラブを提供する。グリップは、増加した有効ライ角を提供する。本発明は、以下で実証されるように性能を高めるが、クラブシャフトとクラブヘッドとの間の実際のライ角を変えることはないため、有利である。
【００１２】
望ましくは、シャフトとクラブヘッドとの間のライ角は、約６７°〜約７５°の範囲内、約７６°〜約８５°の範囲内といった、例えば約７７°〜約８４°の範囲内である。有効ライ角は、約７８°〜約８３°の範囲内、約７９°〜約８４°といった、例えば約７９°〜約８３°の範囲内であってもよい。有効ライ角は、約７９°〜約８２°の範囲内、約８０°〜約８３°といった、例えば約８０°〜約８２°の範囲内であってもよい。有効ライ角は、約８１°〜約８２°の範囲内であってもよい。
【００１３】
本発明のグリップ、例えばパターグリップの利点は、リード・リストで尺側偏位が増加し、したがって肘関節とクラブヘッドとの間の鉛直／揃った平面ライン（ａ  ｐｌｕｍｂ／ｆｌｕｓｈ  ｐｌａｎｅ  ｌｉｎｅ）をもたらすことである。これは次に、打撃／パッティング性能の観点から言えば、インパクトを通じたクラブ／パターフェースの回転と前記回転の変化を減らす。インパクト時のフェース位置がすべてのインパクトファクタのうち最も大きな影響があるので、これはパットのライン及び精度に対する直接的影響を有する。
【００１４】
グリップはまた、手の中の圧力を減少させ、例えばロングパットに対する感覚を高める。これは、両方の手が生体力学的にグリップ圧を減少させる位置にあるという事実に起因する。したがって、スピードは、加速ではなくストロークの長さによって決まる。ストロークの経路は、グリップが、肩甲骨−胸の領域に重点を置き、このとき動きの支点となり、したがって効率の良くないパター経路の傾向をなくすという事実によって確実に影響される。
【００１５】
望ましくは、グリップは縦軸を有し、グリップの縦軸とシャフトの縦軸はクラブヘッドに向かう方向に収束する。これは、シャフトとクラブヘッドとの相対位置を変えずに増加した有効ライ角をもたらす、１つの簡単且つ非常に効果的な方法である。
【００１６】
適切には、グリップは、グリップのより大きい部分がクラブヘッドが延びる側部とは反対のシャフトの側部上に延びる状態で、断面形状において細長い。これは、細長い形状はクラブフェースを不適切な向きに保持する可能性があまり高くないので、グリップが、保持されているときに結果的にクラブのより良好な向きをもたらす可能性の高い形状を有することを意味する。１つの簡単且つ効果的な構成は、細長い断面形状が実質的に平坦な側部をもつ楕円の断面形状の構成である。これは、手による正しいグリッピングを達成するのに非常に効果的な快適なグリップを提供する。望ましくは、グリップは、シャフトを下る方向に、クラブヘッドが延びる側部とは反対のシャフトの側部上で、内向きにテーパする。また、これは良好なグリッピング外形を提供する。
【００１７】
望ましくは、グリップの中にシャフト受入ボアが画定され、ボアはグリップの中心位置からオフセットされ、クラブヘッドが延びる側部とは反対のグリップの側部の方に位置する。これは、有効ライ角の所望の増加をもたらす一助となる１つの簡単な方法である。特に、グリップ（主軸に沿った直径）の２０％未満、例えば１９％未満が、クラブヘッドとは反対のシャフトの側部上にあることが望ましい。グリップの上端では、１８％未満、例えば１７％未満であることが望ましい。
【００１８】
グリップは、実質的にグリップされたときの変形がないように実質的に剛性であってもよい。クラブヘッドが延びる側部と同じ側のシャフトの側部上のグリップの部分（グリップのより大きい部分）は、ユーザによってグリップされたときに（弾性的に）変形可能であってもよい。これは、通常のグリップ圧の下で幾らかの変形を与える快適なグリップを提供する。変形可能であることにより、これは、手によってかかる外力の作用を受けている状態ではその形状及び／又は体積が変化し、外力が除去されるときにその元の形状又は体積に戻る。
【００１９】
望ましくは、クラブヘッドが延びる側部と同じシャフトの側部上のグリップの部分は、少なくとも部分的に中空である。また、これはグリップのしやすさを提供する。
【００２０】
適切には、グリップは、親指と手の中指の位置の指関節との間の手のひらを満たすように寸法設定される。このようにして手を満たすことは、クラブヘッドと手（したがって腕）との所望の相対的配向が達成されることを意味する。
【００２１】
グリップの寸法と増加した有効ライ角は、ユーザの前腕を互いに同一平面に沿って位置合わせするように一緒に作用し、前記平面は、クラブのグリッピング位置においてシャフトの縦軸に全体として平行である。これは、ゴルフスイングが大いに改善されることと、大いに改善された位置が一貫して達成されることを意味する。
【００２２】
望ましくは、ユーザの指先をグリッピング位置におく長手方向の指溝がグリップの一方の側部上に提供される。望ましくは、溝は、グリップの対向する各側部上に提供される。また、これは、手の理想的なグリップ位置を達成するために指の位置決めを助ける。
【００２３】
ゴルフクラブグリップは、１つ又は複数の適切な材料から製造されてもよい。望ましくは、これは、少なくとも１つの熱可塑性エラストマーを含む。熱可塑性エラストマーは、スチレンベースの材料、ポリオレフィン混合物、ポリウレタン、ポリエステルベースの材料、及びポリアミドベースの材料を含む。材料は、発泡体の形態であってもよい。ポリウレタン材料、例えばポリウレタン発泡体を用いることが望ましい。材料は、その粘弾性特性に基づいて選択されてもよい。材料は、約３０〜約８０の範囲内のショアＡ硬度を有してもよい。
【００２４】
本発明はまた、ゴルフクラブのためのグリップであって、ゴルフクラブが、上端及び下端並びに縦軸を有するクラブシャフトと、シャフトの下端にあり、シャフトとクラブヘッドとの間のライ角をもつクラブヘッドとを備える、ゴルフクラブのためのグリップに関する。グリップは、シャフトの上端に嵌めるためのものであり、増加した有効ライ角を提供するように適合される。本発明のグリップは、本明細書に記載の特徴のうちのすべて又はあらゆる組合せを有することができる。
【００２５】
本発明は、添付の図面を参照して本明細書で説明される及び添付の図面で例証されるゴルフクラブグリップ及び／又はゴルフクラブに及ぶ。
【００２６】
グリップの長さは、約２０ｃｍ〜約４０ｃｍ、好ましくは約２２ｃｍ〜約３０ｃｍ、より好ましくは約２４ｃｍ〜約２８ｃｍの範囲であってもよい。グリップの長さは、約２６．５ｃｍであることが望ましい。最も長い（主）軸に沿ったグリップの断面直径は、（ｉ）グリップ部材の上端では、約３．９０ｃｍ〜約４．４ｃｍ、好ましくは約３．９５ｃｍ〜約４．３５ｃｍ、より好ましくは約４．０ｃｍ〜約４．３ｃｍ、望ましくは約４．２７ｃｍであり、（ｉｉ）グリップの中程では、約３．３ｃｍ〜約３．７ｃｍ、好ましくは約３．５ｃｍ〜約３．６５ｃｍ、望ましくは約３．６ｃｍであり、（ｉｉｉ）シャフトがグリップ部材を出るグリップの下端では、約２．３ｃｍ〜約３．０ｃｍ、好ましくは約２．５ｃｍ〜約２．８ｃｍ、望ましくは約２．７ｃｍである。グリップのその最大直径は、全米ゴルフ協会（ＵＳＧＡ）及びスコットランド、セント・アンドルーズのＲｏｙａｌ＆Ａｎｃｉｅｎｔ  Ｇｏｌｆ  Ｃｌｕｂによって主張される公式ゴルフルールによって認可される断面寸法内である。ルールは、「．．．あらゆる方向に測定された断面寸法は、１．７５インチ（４４．４５ｍｍ）を超えてはならない」ことを示す（これは４．４４５ｃｍに等しい）。
【００２７】
グリップの短い（短）軸に沿った直径は、（ｉ）グリップ部材の上側部分では、約２．３０ｃｍ〜約２．７０ｃｍ、好ましくは約２．３５ｃｍ〜約２．６０ｃｍ、望ましくは約２．４３ｃｍであり、（ｉｉ）グリップの中程では、約１．９０ｃｍ〜約２．２０ｃｍ、好ましくは約２．００ｃｍ〜約２．１５ｃｍ、望ましくは約２．１０ｃｍであり、（ｉｉｉ）シャフトがグリップ部材を出る下端では、約１．６０ｃｍ〜約１．８５ｃｍ、好ましくは約１．６５ｃｍ〜約１．８０ｃｍ、望ましくは約１．７３４ｃｍである。
【００２８】
シャフトがグリップ部材の長手方向のボアを占領する場合、シャフトの前面からグリップの前面までの距離（主軸に沿った）は、（ｉ）上側部分では、約１．９０ｃｍ〜約２．３０ｃｍ、好ましくは約２．００ｃｍ〜約２．２０ｃｍ、望ましくは約２．１ｃｍであり、（ｉｉ）グリップの中程では、約１．６０ｃｍ〜約１．８５ｃｍ、好ましくは約１．７０ｃｍ〜約１．８０ｃｍ、望ましくは約１．８０ｃｍであり、（ｉｉｉ）シャフトがグリップ部材を出る下端では、約０．７５ｃｍ〜約１．００ｃｍ、好ましくは約０．８５ｃｍ〜約０．９５ｃｍ、望ましくは約０．９ｃｍである。
【００２９】
シャフトの背面からグリップ部材の背面までの距離（主軸に沿った）は、上側部分では、約０．５０ｃｍ〜約０．８５ｃｍ、好ましくは約０．６０ｃｍ〜約０．７５ｃｍ、望ましくは約０．７０ｃｍであり、シャフトがグリップ部材を出る下端では、約０．４０ｃｍ〜約０．６０ｃｍ、望ましくは約０．５ｃｍである。これは、本発明のグリップのテーパした外観をもたらす。グリップサイズは、一貫性のあるパッティング成績をもたらすのに重要なファクタである。本発明のグリップのグリップサイズの範囲は、上記で説明されたグリップの特徴と共に、クラブがゴルファーの手の中でねじれるのを防ぎ、ねじれるのはゴルファーがゴルフボールを打撃するためにスイングする際にゴルファーが無意識にクラブを絞った結果であり、クローズしたクラブフェースにつながる。
【００３０】
本発明はまた、ゴルフクラブのためのゴルフクラブグリップであって、ゴルフクラブが、ゴルフボールを打撃するためのクラブフェースをもつクラブヘッドと、クラブヘッドに接続される遠位端を有し且つゴルフクラブグリップが嵌められる近位端を有するシャフトとを備え、グリップが、ゴルフクラブのシャフトの中心縦軸からオフセットした中心縦軸を有する長手方向のグリップ部材を備え、グリップ部材の一部が、中空であり、且つゴルフクラブのシャフトの近位端を受け入れるための長手方向のボアを画定し、グリップ部材の配置が、保持されているときに、ユーザの手のひらを満たして尺側偏位を増加させ、肘関節とクラブヘッドとの間の揃った平面ラインをもたらすように構成される、ゴルフクラブのためのゴルフクラブグリップに関する。
【００３１】
望ましくは、グリップは、グリップ部材の対のうちの１つがゴルフクラブのシャフトを受け入れる場所で収束する一対のグリップ部材を備える。一つの構成では、ユーザの身体から最も遠くに横たわるグリップ部材の一部は、少なくとも部分的に中空である。これは、ゴルフクラブのシャフトを受け入れるための長手方向のボアを画定してもよい。ユーザの身体に最も近いグリップ部材の一部は、実質的に剛性であってもよく、又はユーザによってグリップされたときに変形可能であってもよい。
【００３２】
ユーザの身体から最も遠いグリップ部材の一部は、実質的に剛性であってもよく、又はユーザによってグリップされたときに変形可能であってもよく、ユーザの身体に最も近いグリップ部材の一部は、少なくとも部分的に中空であり、ゴルフクラブのシャフトを受け入れるための長手方向のボアを画定する。
【００３３】
本発明はまた、ゴルフクラブのシャフトの中心縦軸からオフセットした中心縦軸を有する長手方向のグリップ部材を備えるゴルフクラブグリップであって、グリップ部材の一部が、少なくとも部分的に中空であり、ゴルフクラブのシャフトの近位端を受け入れるための長手方向のボアを画定し、グリップ部材の配置が、保持されているときに、ユーザの手のひらを満たして尺側偏位を増加させ、肘関節とクラブヘッドとの間の揃った平面ラインをもたらすように構成される、ゴルフクラブグリップに関する。
【００３４】
本発明はさらに、グリップ部材の中間の長手方向の溝をもつ並列配置の２つの連続する長手方向のグリップ部材を備えるゴルフクラブグリップであって、グリップ部材のうちの一方が、中空であり、且つゴルフクラブのシャフトを受け入れるための長手方向のボアを画定し、グリップ部材のうちの他方が、実質的に剛性であり、又はユーザによってグリップされたときに変形可能であり、グリップ部材の配置が、保持されているときに、リーディング・ハンドの少なくとも中指及び薬指がリーディング・ハンドの手のひらとは反対の側部上の溝に位置するようにユーザの手のひらを満たして尺側偏位を増加させ、肘関節とクラブヘッドとの間の揃った平面ラインをもたらすように構成される、ゴルフクラブグリップに関する。
【００３５】
本発明の一実施形態のすべての随意的な及び／又は好ましい特徴は、本発明の別の／他の実施形態（単数又は複数）の随意的な及び／又は好ましい特徴と組み合わされてもよいことが理解されるであろう。
【００３６】
本発明の付加的な特徴及び利点が説明され、本発明の詳細な説明から及び図面から明らかとなるであろう。
【図面の簡単な説明】
【００３７】
【図１Ａ】本発明のゴルフクラブグリップを有するゴルフクラブの正面図である。
【図１Ｂ】本発明のゴルフクラブグリップを有するゴルフクラブの背面図である。
【図２Ａ】図１Ｂの矢印Ａ−Ａによって示される場合のゴルフクラブグリップの上から見た平面図である。
【図２Ｂ】図２Ｂの矢印Ｂ−Ｂによって示される場合のゴルフクラブグリップの上から見た断面図である。
【図３】シャフトの中心縦軸とグリップの中心縦軸が示される、前の図面のゴルフグリップの拡大断面図である。
【図４Ａ】シャフトとクラブヘッドとの間のクラブのライ角が示される、クラブヘッド及びシャフトの一部の拡大図である。
【図４Ｂ】図４Ａのクラブの全体とライ角を示すが、先の図面に示されたタイプの本発明のゴルフグリップを用いることによってもたらされる有効ライ角を付加的に示す図である。
【図５Ａ】本発明のグリップに起因して前腕がシャフトの縦軸と実質的に位置合わせされる、ユーザのスイング位置で本発明のゴルフグリップを用いることの効果を例証する図である。
【図５Ｂ】前腕がシャフトの縦軸と位置合わせされない従来のグリップのときの図である。
【図６Ａ】本発明のグリップをグリップするユーザの手の前側からの部分拡大図である。
【図６Ｂ】本発明のグリップをグリップするユーザの手の横からの部分拡大図である。
【図６Ｃ】本発明のグリップをグリップするユーザの手の後ろ側からの部分拡大図である。
【図７Ａ】図１〜図６の実施形態と非常に類似している実施形態の正面図である。
【図７Ｂ】図１〜図６の実施形態と非常に類似している実施形態の側面図である。
【図７Ｃ】図１〜図６の実施形態と非常に類似している実施形態の上面図である。
【図７Ｄ】図１〜図６の実施形態と非常に類似している実施形態の下面図である。
【図７Ｅ】図１〜図６の実施形態と非常に類似している実施形態の背面図である。
【図７Ｆ】図１〜図６の実施形態と非常に類似している実施形態の第１の斜視図（正面及び側面から）である。
【図７Ｇ】図１〜図６の実施形態と非常に類似している実施形態の第２の斜視図（背面及び側面から）である。
【図８Ａ】指溝をさらに備える本発明のゴルフクラブグリップを有するゴルフクラブの背面図である。
【図８Ｂ】図８Ｂの矢印Ａ−Ａによって示される場合の図８Ａのゴルフクラブグリップの上から見た平面図である。
【図８Ｃ】図８Ａの矢印Ｂ−Ｂによって示される場合の図８Ａのゴルフクラブグリップの上から見た断面図である。
【図９Ａ】ユーザによって保持されている図８Ａ〜図８Ｃのゴルフグリップの正面図である。
【図９Ｂ】ユーザによって保持されている図８Ａ〜図８Ｃのゴルフグリップの側面図である。
【図９Ｃ】ユーザによって保持されている図８Ａ〜図８Ｃのゴルフグリップの背面図である。
【図１０】ＳＡＭ  ＰｕｔｔＬａｂ測定ツールによって分析される場合の及び以下でより詳細に説明される場合の従来技術のグリップを用いるパッティング成績に対して行われるテストの結果を示す図である。
【図１１】ＳＡＭ  ＰｕｔｔＬａｂ測定ツールによって分析される場合の及び以下でより詳細に説明される場合の本発明のグリップを用いるパッティング成績に対して行われるテストの結果を示す図である。
【図１２】ＳＡＭ  ＰｕｔｔＬａｂ測定ツールによって分析される場合の及び以下でより詳細に説明される場合の本発明のグリップを用いるパッティング成績に対して行われるテストの結果を示す図である。
【図１３】ＳＡＭ  ＰｕｔｔＬａｂ測定ツールによって分析される場合の及び以下でより詳細に説明される場合の従来技術のグリップを用いるパッティング成績に対して行われるテストの結果を示す図である。
【図１４】ＳＡＭ  ＰｕｔｔＬａｂ測定ツールによって分析される場合の及び以下でより詳細に説明される場合の本発明のグリップを用いるパッティング成績に対して行われるテストの結果を示す図である。
【図１５】ＳＡＭ  ＰｕｔｔＬａｂ測定ツールによって分析される場合の及び以下でより詳細に説明される場合の従来技術のグリップを用いるパッティング成績に対して行われるテストの結果を示す図である。
【図１６】ＳＡＭ  ＰｕｔｔＬａｂ測定ツールによって分析される場合の及び以下でより詳細に説明される場合の本発明のグリップを用いるパッティング成績に対して行われるテストの結果を示す図である。
【図１７】ＳＡＭ  ＰｕｔｔＬａｂ測定ツールによって分析される場合の及び以下でより詳細に説明される場合の従来技術のグリップを用いるパッティング成績に対して行われるテストの結果を示す図である。
【図１８】ＳＡＭ  ＰｕｔｔＬａｂ測定ツールによって分析される場合の及び以下でより詳細に説明される場合の本発明のグリップを用いるパッティング成績に対して行われるテストの結果を示す図である。
【発明を実施するための形態】
【００３８】
本明細書の以下で開示される例は、一般化された例だけを表し、本発明を再現することができる他の配置及び方法が可能であり、且つ請求項に記載の本発明によって包含されることが当該技術分野の当業者にはすぐに分かるであろう。
【００３９】
図１では、本発明に係るゴルフクラブグリップを有するゴルフクラブ１０が、図１Ａの正面図、図１Ｂの背面図で例証される。ゴルフクラブグリップは、概して参照番号１で示される。例証される実施形態では、ゴルフクラブグリップ１は、ゴルフクラブシャフト２の上（近位）端８にある。グリップ部材１は、シャフト２を収容するための長手方向のボア６（図２Ｂ及び図３参照）を有する。クラブ１０は、その下（遠位）端９に、クラブ（パッティング）フェース１５をもつクラブヘッド、特に、クラブ（パッティング）ヘッド５を有する。クラブシャフト２は縦軸４（図３及び図４Ａ参照）を有する。シャフト２の縦軸４とクラブヘッド５の下面１６の（水平）面７との間の角度Ｌがライ角である。有効ライ角は、クラブヘッドの底面の平面が地面２０に平行なときにクラブシャフトが地面２０に対して位置する角度と考えることができる。ゴルフクラブ１０のグリップ１は従来のものではなく、特にこれは形状設定され、ボア６は、図４Ｂで例証されるようにグリップが増加した有効ライ角Ｌ’を提供するようにグリップ１内に位置する。
【００４０】
図３は、これがどのようにして示された実施形態で達成されているかを示す。特に、ボア６の（中心）縦軸とグリップ１の（中心）縦軸１１は、図３で明瞭に例証されるようにクラブ１０のヘッド５に向かう方向Ｄ（シャフト２の下方）に収束するように配置される。これは、クラブヘッドとシャフトとの間のライ角Ｌが変わっておらず、そのままの状態であるにもかかわらず、ユーザは、クラブの実際のライ角よりも大きい有効ライ角Ｌ’を経験することを意味する。これは、従来のゴルフグリップがシャフトのライ角を増加させるように配置されないためであり、従来のグリップでは、ユーザはしたがってライ角Ｌを経験するであろう。ユーザによって経験されるライ角の効果的な増加は、結果的に、クラブを用いるユーザの的確さの劇的な改善をもたらす（以下で与えられるテスト結果によって明瞭に実証されるように）。ゴルフボール５３（輪郭でのみ示される）は、クラブ１０のフェース１５の中心面５４に沿ってヘッド５によって打たれることが望ましい。本発明は、ゴルフボール５３のこうした望ましい打撃の達成を試みるユーザの的確さの改善を示すことになる。
【００４１】
ライ角Ｌは、パターがアドレス時にニュートラル・ポジションに保持されるとき、すなわち、パターヘッドが平坦面に平行であるときにシャフト２とパターヘッド５のソールによって形成される角度である。シャフト２のライ角Ｌは、一般に、７１度から７２度までの間である。ライ角の限界は、一般に約６７度から約７５度までの間であり、最大ライ角は約７５度〜約７６度である。
【００４２】
ほとんどの市販のパターの標準ライ角は、７０度から７２度までの間である。ライ角は、時々、９０度から或るオフセット、例えば１９度のオフセット（すなわち、７１度のライ角）をもって達成される角度として定義される。全米ゴルフ協会（ＵＳＧＡ）及びスコットランド、セント・アンドルーズのＲｏｙａｌ＆Ａｎｃｉｅｎｔ  Ｇｏｌｆ  Ｃｌｕｂによって主張される場合のゴルフのルールによって許容可能な最小オフセットは、１０度（すなわち、８０度の最大ライ角を有するシャフト）である。
【００４３】
シャフト受入ボア６は、グリップ１によって及びこの中に画定される。図面から分かるように、ボア６は、グリップの中心位置からオフセットされ、グリップの背部（クラブヘッドが延びる側部とは反対のグリップの側部）の方に位置する。
【００４４】
グリップ１は概してオーバーサイズにされ、図５Ａに示すようにゴルファー５０の手１２、１３にフィットする及びこれを満たすように構成される。図５Ｂは、同じゴルファー５０によって保持されるが従来のグリップ５１をもつ同じクラブ１０を示す。本発明によって達成される位置の改善は、本発明のグリップを用いるときに前腕５２の長手方向の平面１４がシャフト２の縦軸４に実質的に平行であるという事実にあると考えられる。これは、グリップするときに自然に起こり、如何なる指示もなしに腕の位置が改善される。さらにまた図５Ａから、前腕が実質的に互いに位置合わせされることが分かる。対照的に、従来のグリップ５１では前腕５２が位置合わせされないことが分かる。さらに、前腕５２の長手方向の平面１４は、シャフト２の縦軸４に平行ではない。これは、本発明のグリップ１では、ユーザが、彼らが従来のグリップを用いるときに比べて図５Ａのポジションをとる可能性が高いことを意味する。従来のグリップの場合には、彼らは図５Ｂに示されたポジションをとる可能性がより高い。グリップ１の寸法と増加した有効ライ角Ｌ’は、ユーザの前腕５２を互いに同一平面に沿って位置合わせするように一緒に作用し、前記平面はクラブのグリッピング位置においてシャフトの縦軸に平行である。この良好な位置合わせが、本発明のグリップ１を用いるユーザの実質的に改善された的確さの理由であると考えられる。
【００４５】
グリップ１はまた、親指２３と手の中指の位置の指関節２４との間の手のひらを満たすように寸法設定される。図６Ａ〜図６Ｃは、右利きのゴルファーが本発明のグリップ１を保持している状態の図５Ａ及び図５Ｂに示されたのと類似した及び代替的な図を例証する。左手１２と右（リーディング）手１３は、両方の手のひらが互いに面するようにグリップ１上に位置決めされ、手１２、１３はニュートラル・ポジションにあり、且つパターフェース１５に平行である。これに関してのニュートラルとは、腕のスイングが手の如何なる方向転換も引き起こさないように手の位置が位置合わせされることを意味する。手１２、１３のニュートラル・ポジショニングは、グリップ１の形状と有効ライ角の増加の結果である。グリップ１上の手１２、１３のニュートラル・ポジショニングの結果として、親指２３、２４は、それらが平坦面２６上にあり且つグリップ１及びシャフト２の中心でクラブヘッド５の方向に真下に向いている場合のグリップ１上のポジションを自動的にとる。
【００４６】
グリップ１は、ゴルファーの手１２、１３にフィットする及びこれを満たすように構成される。グリップは、手のひら及び指の関節を満たし、結果として手と前腕のラインが揃う。グリップ部材１の側部２１は手１３の指３０、３１、３２によって、側部２２は手１２の指３４、３５、３６によって無理なく保持され、手１３の指３７は、指２４が他方の手をグリップしている状態で側部２１に置かれる。指３４、３５、３６の先は、グリップ部材１の側部２２に無理なく置かれる。親指２３は、シャフト２の中心で下を向く、セントラル・ポジションにある。
【００４７】
手１２、１３の位置決めは、打撃するフェースが反対方向に面する状態で同じくパターを用いることになる左利きのゴルファー（左手がリーディング・ハンドである）では逆になることを当業者は理解するであろう。全体として、左利きのゴルファーに関して達成される手の位置決めは、右利きの人の位置決めと同じである。本発明のグリップは、異なる利き手のための再構成を必要としない。
【００４８】
グリップ１は、グリップ１のより大きい部分２５がシャフト２の前側（クラブヘッド５が延びるのと同じ側）で延びる状態で、断面形状において細長いことが図面（例えば図２Ａ及び図２Ｂ参照）から分かる。望ましくは、少なくともグリップのより大きい部分２５は、ユーザによる手でのグリッピング（通常のゴルフクラブをグリップする圧力）の下で弾性的に変形可能である。細長い断面形状は、実質的に平坦な側部２１、２２及び平坦な前面２６をもつ楕円の断面形状である。グリップ１（例えば、図３で最もよく分かる前面２６参照）は、シャフトを下る方向に、クラブヘッド５が延びるシャフトの同じ（前）側で内向きにテーパする。
【００４９】
シャフト２が矢印Ａの方向にグリップ１を出るグリップ１の端である下端１ａで、グリップ部材１は、シャフト２が出る地点４０で収束するように内向きに湾曲する。
【００５０】
グリップ１は、ユーザによってグリップされるとさらに変形できるように少なくとも部分的に中空であってもよい。例えば、グリップ１の部分２５は、適切な弾性的に変形可能な材料で作製されてもよく、及び／又は少なくとも部分的に中空であってもよい。
【００５１】
図７Ａ〜図７Ｇは、前の図面と構成が類似しているが、僅かにより流線型の美的外観の、本発明のゴルフグリップ１の異なる観点からの図を示す。参照番号は、同じ部分を示すために前の図面と一貫して用いられている。
【００５２】
図８Ａ〜図８Ｃは、図１〜図６に関して説明されたのと同じ本発明のグリップ１を例証する。参照番号は、同じ部分を示すために前の図面と一貫して用いられている。図８Ａは背面図を示し、一方、図８Ｂ及び図８Ｃは、それぞれ矢印Ａ及び断面矢印Ｂの視点からのグリップ１を示す。図９Ａ〜図９Ｃは、図６Ａ〜図６Ｃと同じ方法で保持されているグリップ１を示す。グリップ１と前出のグリップとの唯一の差異は、グリップ１の対向する側部２１、２２上の中間の指位置に（細長い）長手方向の指溝４ａが存在することである。溝４ａは、より良好な手の位置決めを可能にし、実質的に全体として図８の輪郭の断面形状を与える。特に、溝４ａは、手１３の指の上部を一方の側部上で、及び手１２の指の上部を他方の側部上で収容する。溝は、グリップに沿って上から下まで走り、望ましくは少なくとも手で保持されるグリップの部分に沿って走る。
【００５３】
グリップ１の寸法（図１〜図９に示される場合の）は、望ましくは以下の通りである、すなわち、グリップの長さは、約２０ｃｍ〜約４０ｃｍ、好ましくは約２２ｃｍ〜約３０ｃｍ、より好ましくは約２４ｃｍ〜約２８ｃｍの範囲であってもよい。グリップの長さは、約２６．５ｃｍであることが望ましい。グリップの長い方（主軸）の断面直径は、望ましくは、（ｉ）グリップ部材の頂部では、約３．９０ｃｍ〜約４．４ｃｍ、好ましくは約３．９５ｃｍ〜約４．３５ｃｍ、より好ましくは約４．０ｃｍ〜約４．３ｃｍ、望ましくは約４．２７ｃｍであり、（ｉｉ）グリップの中程では、約３．３ｃｍ〜約３．７ｃｍ、好ましくは約３．５ｃｍ〜約３．６５ｃｍ、望ましくは約３．６ｃｍであり、（ｉｉｉ）シャフト２がグリップ部材を出る下端４０では、約２．３ｃｍ〜約３．０ｃｍ、好ましくは約２．５ｃｍ〜約２．８ｃｍ、望ましくは約２．７ｃｍである。
【００５４】
グリップ１のその最大直径は、全米ゴルフ協会（ＵＳＧＡ）及びスコットランド、セント・アンドルーズのＲｏｙａｌ＆Ａｎｃｉｅｎｔ  Ｇｏｌｆ  Ｃｌｕｂによって主張される公式ゴルフルールによって認可される断面寸法内である。ルールは、「．．．あらゆる方向に測定された断面寸法は、１．７５インチ（４４．４５ｍｍ）を超えてはならない」ことを示す（４．４４５ｃｍ）。
【００５５】
グリップの横（短）軸に沿った直径は、（ｉ）グリップ部材の上端では、約２．３０ｃｍ〜約２．７０ｃｍ、好ましくは約２．３５ｃｍ〜約２．６０ｃｍ、望ましくは約２．４３ｃｍであり、（ｉｉ）グリップの中程では、約１．９０ｃｍ〜約２．２０ｃｍ、好ましくは約２．００ｃｍ〜約２．１５ｃｍ、望ましくは約２．１０ｃｍであり、（ｉｉｉ）シャフト２がグリップ部材を出る下端４０では、約１．６０ｃｍ〜約１．８５ｃｍ、好ましくは約１．６５ｃｍ〜約１．８０ｃｍ、望ましくは約１．７３４ｃｍである。
【００５６】
シャフト２がグリップ部材の長手方向のボア６を占領する場合、シャフトの前面からグリップ部材の前面までの距離は、（ｉ）その上端では、約１．９０ｃｍ〜約２．３０ｃｍ、好ましくは約２．００ｃｍ〜約２．２０ｃｍ、望ましくは約２．１ｃｍであり、（グリップの中程では、約１．６０ｃｍ〜約１．８５ｃｍ、好ましくは約１．７０ｃｍ〜約１．８０ｃｍ、望ましくは約１．８０ｃｍであり、（ｉｉｉ）シャフト２がグリップ部材を出る下端４０では、約０．７５ｃｍ〜約１．００ｃｍ、好ましくは約０．８５ｃｍ〜約０．９５ｃｍ、望ましくは約０．９ｃｍである。
【００５７】
シャフトの背面からグリップ部材の背面までの距離は、その上端では、約０．５０ｃｍ〜約０．８５ｃｍ、好ましくは約０．６０ｃｍ〜約０．７５ｃｍ、望ましくは約０．７０ｃｍであり、シャフト２がグリップ部材を出る下端では、約０．４０ｃｍ〜約０．６０ｃｍ、望ましくは約０．５ｃｍである。これは、本発明のグリップのテーパした外観をもたらす。さらに、正面の上側及び下側の平坦面の幅は、約０．４０〜約０．８０ｃｍ、好ましくは約０．５０〜約０．７０ｃｍ、望ましくは約０．６０ｃｍである。
【００５８】
図８Ａ〜図８Ｃに示されたグリップをテストすることによって生成されたデータ
【００５９】
以下は、従来技術のグリップを上回る本発明のグリップ１の利点を例示する。初心者ゴルファーが、パター上で通例用いられるグリップ（図１０に示される結果）と本発明のグリップ１（図１１及び図１２に示される結果）を用いてテストされた。特に、使用したパターは、Ｎｅｖｅｒ  Ｃｏｍｐｒｏｍｉｓｅ  Ｍｉｌｌｅｄ  Ｓｅｒｉｅｓ  ２（パター１）、Ｏｄｙｓｓｅｙ  ２−Ｂａｌｌ（パター２）、及びＤａｖｅ  Ｈｉｃｋｓ  ＤＨ−１０  Ｕｌｔｉｍａｔｅ（パター３）であった。
【００６０】
測定ツールとしてＳＡＭ  ＰｕｔｔＬａｂを用いてテストを行った（参照：ｈｔｔｐ：／／ｗｗｗ．ｓａｍｐｕｔｔｌａｂ．ｃｏｍ／）。ＳＡＭ  ＰｕｔｔＬａｂは、パッティングストロークの２８のパラメータをカバーする的確な超音波測定に基づく分析及びトレーニングシステムである。同一の周囲環境でテストを行い、各パットの距離は３メートルであった。テスト中に初心者ゴルファーに与えられる口頭指示はなかった。測定されたパッティングストロークの客観的測定値は、図１０〜図１２に示すようにそれぞれの例図が示す、（ａ）アドレス時のパターフェース位置、（ｂ）インパクト時のパターフェース位置、（ｃ）経路方向、（ｄ）インパクトスポット、及び（ｅ）クラブヘッド回転度であった。
【００６１】
表１：図１０〜図１２に示されたＳＡＭ  ＰｕｔｔＬａｂ分析システムを用いて行ったテストからの結果を表にした。ライ角は、クラブヘッドの底又はソールとシャフトとの間の角度である。各テストにつき５つのパットが存在し、各パットの距離は３メートルであった。３つのテストのそれぞれにおいて与えられる各測定値に関して各パットにスコアが付けられ、一貫性評定が与えられた。
【表１】
2013530802.tif 000003
*総合平均スコアは、各測定値に関して与えられたスコア及び一貫性評定の平均であり、ゴルファーの総合成績を評価する。
【００６２】
図１０ａ〜図１０ｅで例証される場合の第１のテストでは、第１のパター上の標準ゴルフグリップを用いる初心者ゴルファーは、平均して６６．５％のスコアが付けられた（平均した場合であり、上記の表１に記載される）。初心者ゴルファーが図１１ａ〜図１１ｅで例証される場合の第２のパターと共に本発明のグリップを用いて同じテストを行ったときには、平均スコアが６７．４％に増加すると共に、スイング経路における１２％の改善、インパクトスポットテストにおける１４％の改善、及びクラブヘッド回転における１８％の改善があった。第３のテストでは、初心者ゴルファーは、本発明のグリップと、ゴルファーの快適さのために特別に仕立てられたパターを使用した（すなわち、パターシャフトの長さが、ゴルファーの快適さ、技術、腕の長さなどに基づいて選択される。ヒップヒンジの高さ及び度合いはパターの長さを決定する際のファクタであるが、こうしたファクタが全長を決定することはない。長さは個人の好みである）。図１２ａ〜図１２ｅで例証されるように、従来技術の標準ゴルフグリップを用いるテストと比べたときに、総合平均スコアが７３．４％に増加すると共に、スイング経路における１７％の改善、クラブヘッド回転における２７％の改善、インパクトスポットテストにおける９％の改善があった。このテストの結果は、クラブヘッド経路を身につけ、且つ理想的なクラブヘッド回転をもたらすゴルファーの能力の著しい改善を明瞭に示し、これらは両方とも効果的且つ上手なゴルファー／パターの決定的要素及び認識された癖である。主な改善は、有効ライ角の変化に起因すると考えられる。
【００６３】
図１〜図６に示されたグリップをテストすることによって生成されたデータ
【００６４】
上記で説明されたように測定ツールとしてＳＡＭ  ＰｕｔｔＬａｂを用いてテストを行った（参照：ｈｔｔｐ：／／ｗｗｗ．ｓａｍｐｕｔｔｌａｂ．ｃｏｍ／）。同一の周囲環境でテストを行い、各パットの距離は３メートルであった。テスト中に初心者ゴルファーに与えられる口頭指示はなかった。本発明のグリップによる各テストに関して、従来のグリップによる代替テストがあった。測定されたパッティングストロークの客観的測定値は、図１３〜図１８に示すように、（ａ）パターフェース位置、（ｂ）経路方向、（ｃ）クラブヘッド回転度、及び（ｄ）インパクトスポットであった。各テストにつき５つのパットが存在し、各パットの距離は３メートルであった。図１３、図１５、及び図１７は、従来のゴルフグリップでの測定値である。以下のすべてのテストで用いられるパターは、カスタマイズされたＭｏｎｚａパターであった。図１４、図１６、及び図１８は、本発明のゴルフグリップを用いる対応するテストである。
【００６５】
表２：図１３及び図１４の初心者ゴルファーに関するＳＡＭ  ＰｕｔｔＬａｂ分析システムを用いて行ったテストからの結果である。各テストにおける各測定値に関して各パットにスコアが付けられ、一貫性評定が与えられた。
【表２】
2013530802.tif 000004
*総合平均スコアは、各測定値に関して与えられたスコア及び一貫性評定の平均であり、ゴルファーの総合成績を評価する。
【００６６】
表３：図１５及び図１６のハンディキャップ１８のゴルファーに関するＳＡＭ  ＰｕｔｔＬａｂ分析システムを用いて行ったテストからの結果である。各テストにおける各測定値に関して各パットにスコアが付けられ、一貫性評定が与えられた。
【表３】
2013530802.tif 000005
*総合平均スコアは、各測定値に関して与えられたスコア及び一貫性評定の平均であり、ゴルファーの総合成績を評価する。
【００６７】
表４：図１７及び図１８の精鋭ゴルファーに関するＳＡＭ  ＰｕｔｔＬａｂ分析システムを用いて行ったテストからの結果である。各テストにおける各測定値に関して各パットにスコアが付けられ、一貫性評定が与えられた。
【表４】
2013530802.tif 000006
*総合平均スコアは、各測定値に関して与えられたスコア及び一貫性評定の平均であり、ゴルファーの総合成績を評価する。
【００６８】
図１３で例証されるテストでは、標準ゴルフグリップを用いる初心者ゴルファーは、平均して５８．５％のスコアが付けられた。初心者ゴルファーが第１のテストで用いたのと同じパターと共に本発明のグリップを用いて同じテストを行ったときには、図１４で例証されるように、平均スコアが６１．６％に増加すると共に、インパクト位置でのフェースにおける１１％の改善、インパクトスポットテストにおける１０％の改善、及びパター経路方向における７％の改善があった。初心者ゴルファーに対する他の著しい改善は、より一貫してパターとターゲットのラインを揃える（５７％の一貫性から９４％の一貫性に増加する）、及びより的確にインパクトに戻る（７１％から８２％に増加する）彼の能力であった。スイング経路の方向は、有効性（７７％に対して８４％）及び一貫性（２２％に対して６０％）においてより高いスコアが付けられ、経路でのフェーススコアもまた著しく改善された（２０％に対して６０％）。このテストの結果は、クラブヘッド経路を身につけ、且つ理想的なクラブヘッド回転をもたらすゴルファーの能力の著しい改善を明瞭に示し、これらは両方とも効果的且つ上手なパターの決定的要素及び認識された癖である。この改善は、如何なる類の指示／指導もなしに達成された。
【００６９】
図１５で例証されるテストでは、ハンディキャップ１８のゴルファーは、平均して５７．４％のスコアが付けられた。ハンディキャップ１８のゴルファーが図１６で例証されるのと同じパターと共に本発明のグリップを用いて同じテストを行ったときに、平均スコアが７０．９％に増加し、成績において２３．５％の増加であった。アドレス時及びインパクト時の彼のフェース位置の一貫性が著しく改善され（それぞれ６５％に対して７２％、及び１９％に対して８６％）、一方、彼の経路方向に伴う彼の一貫性及びフェースとのその関係性もまた著しく改善された（それぞれ７％に対して９１％、及び０％に対して７９％）。
【００７０】
従来のグリップをもつパターＸによる図１７で例証されるテストでは、精鋭ゴルファーは、平均して７４．６％のスコアが付けられ、これは当然のことながら初心者ゴルファー及びハンディキャップ１８のゴルファーよりもかなり高い。しかしながら、精鋭ゴルファーが、同じパターであるが本発明のグリップをもつパターを用いて同じテストを行ったときに、平均スコアが８３．０％に増加し、成績において１１％の増加であった。本発明のグリップを用いたときの成績の増加は、精鋭ゴルファーが週に平均４回プレーすることを考えると予想外のものであった。精鋭ゴルファーの一貫性は、彼のパッティング・ゲームのほとんどの分野において、特にアドレス時（８９％に対して９７％）及びインパクト時（８０％に対して９５％）のパターフェース位置において著しく改善され、一方、彼の経路方向に伴う彼の一貫性及びフェースとのその関係性もまた著しく改善された（それぞれ７３％に対して９７％、及び４７％に対して８６％）。加えて、インパクトスポットにおける精鋭ゴルファーの一貫性もまた、５％から５６％に著しく増加し、１０倍以上の増加であった。
【００７１】
ＳＡＭパットＬａｂ及びその類のマシンは、インパクト時のパターヘッドの位置決め及び傾向を客観的に測定する。本明細書で説明されるテストが最終的に証明することは及び重要なことは、学習の認識段階のプレーヤが本発明のパターグリップをただ用いることで、ゴルフコーチからの口頭指示又は命令のない状態で、彼／彼女のスコア／一貫性数を改善したことである。測定された５つの分野である、フェース位置、迎え角、経路、当たりの中心性、及びスピードは、ゴルフストロークを客観的に測定することができる唯一絶対の値として世界中で受け入れられる。本明細書で説明されるテストでは、５つすべての平均スコアの向上は、より良好な成績に直結することができる。
【００７２】
本発明を参照して本明細書で用いられるときの「備える／備えている」という言葉と「有している／含んでいる」という言葉は、表記された特徴、値、ステップ、又は構成要素の存在を明記するのに用いられるが、１つ又は複数の他の特徴、値、ステップ、構成要素、又はこれらの群の存在又は付加を除外するものではない。
【００７３】
明確にするために別個の実施形態との関連で説明される本発明の或る特徴はまた、単一の実施形態に組み合わせて提供されてもよいことが分かる。逆に、簡潔にするために単一の実施形態との関連で説明される本発明の種々の特徴はまた、別個に又はあらゆる適切な小さな組合せで提供されてもよい。
【図１Ａ】
2013530802.tif 000007
【図１Ｂ】
2013530802.tif 000008
【図２Ａ】
2013530802.tif 000009
【図２Ｂ】
2013530802.tif 000010
【図３】
2013530802.tif 000011
【図４Ａ】
2013530802.tif 000012
【図４Ｂ】
2013530802.tif 000013
【図５Ａ】
2013530802.tif 000014
【図５Ｂ】
2013530802.tif 000015
【図６Ａ】
2013530802.tif 000016
【図６Ｂ】
2013530802.tif 000017
【図６Ｃ】
2013530802.tif 000018
【図７Ａ】
2013530802.tif 000019
【図７Ｂ】
2013530802.tif 000020
【図７Ｃ】
2013530802.tif 000021
【図７Ｄ】
2013530802.tif 000022
【図７Ｅ】
2013530802.tif 000023
【図７Ｆ】
2013530802.tif 000024
【図７Ｇ】
2013530802.tif 000025
【図８Ａ】
2013530802.tif 000026
【図８Ｂ】
2013530802.tif 000027
【図８Ｃ】
2013530802.tif 000028
【図９Ａ】
2013530802.tif 000029
【図９Ｂ】
2013530802.tif 000030
【図９Ｃ】
2013530802.tif 000031
【図１０】
2013530802.tif 000032
【図１１】
2013530802.tif 000033
【図１２】
2013530802.tif 000034
【図１３】
2013530802.tif 000035
【図１４】
2013530802.tif 000036
【図１５】
2013530802.tif 000037
【図１６】
2013530802.tif 000038
【図１７】
2013530802.tif 000039
【図１８】
2013530802.tif 000040
【国際調査報告】
2013530802.tif 000041
2013530802.tif 000042
2013530802.tif 000043